(57)【特許請求の範囲】
【請求項１】
衣服に使用されるのに適したホログラフィック熱管理材料であって、
ベース材料を通じて水分及び／又は水蒸気の通路を許容するのに適した伝達特性を有するベース材料と、
ベース材料の第１側面に結合されたホログラフィック熱伝導要素の配列と、を備え、
ホログラフィック熱伝導要素は、所望な方向に熱を伝導するように配置され、
ホログラフィック熱伝導要素の配置及び空間は、ベース材料が前記伝達特性の部分的な性能を保持するのを許容するホログラフィック熱管理材料。
【請求項２】
請求項１記載のホログラフィック熱管理材料において、
ベース材料は、衣服の最も内側の層を備え、ホログラフィック熱伝導要素は、内向きに配置され、衣服の使用者の体の方に熱を導くように配置されているホログラフィック熱管理材料。
【請求項３】
請求項１記載のホログラフィック熱管理材料において、
ベース材料は、衣服の最も外側の層を備え、ホログラフィック熱伝導要素は、衣服の使用者の体から離れる方向に面するようにベース材料に配置されるホログラフィック熱管理材料。
【請求項４】
請求項１記載のホログラフィック熱管理材料において、
ベース材料は、吸湿発散性布であるホログラフィック熱管理材料。
【請求項５】
請求項１記載のホログラフィック熱管理材料において、
ベース材料は、一つ以上の断熱又は耐水材料であるホログラフィック熱管理材料。
【請求項６】
請求項１記載のホログラフィック熱管理材料において、
ベース材料は、ホログラフィック熱伝導要素と反対側に配置された断熱又は耐水材料に結合されるホログラフィック熱管理材料。
【請求項７】
請求項１記載のホログラフィック熱管理材料において、
ベース材料に対するホログラフィック熱伝導要素の表面領域率は、７：３から３：７までであるホログラフィック熱管理材料。
【請求項８】
請求項７記載のホログラフィック熱管理材料において、
ベース材料に対するホログラフィック熱伝導要素の表面領域率は、３：２から２：３までであるホログラフィック熱管理材料。
【請求項９】
請求項１記載のホログラフィック熱管理材料において、
ホログラフィック熱伝導要素は、レーザエッチング層を備えるホログラフィック熱管理材料。
【請求項１０】
請求項９記載のホログラフィック熱管理材料において、
ホログラフィック熱伝導要素は、金属又は金属合金であるホログラフィック熱管理材料。
【請求項１１】
請求項１記載のホログラフィック熱管理材料において、
ホログラフィック熱伝導要素は、５ｃｍより小さい最大寸法を有するホログラフィック熱管理材料。
【請求項１２】
請求項１記載のホログラフィック熱管理材料において、
ホログラフィック熱伝導要素は、ホログラフィック熱伝導要素上の水分の蓄積に抵抗するために疎水性材料で処理されるホログラフィック熱管理材料。
【請求項１３】
請求項１記載のホログラフィック熱管理材料において、
ホログラフィック熱伝導要素は、１ｃｍより小さい最大空間を有するホログラフィック熱管理材料。
【請求項１４】
請求項１記載のホログラフィック熱管理材料において、
ホログラフィック熱伝導要素は、１ｃｍより大きい最小空間を有するホログラフィック熱管理材料。
【請求項１５】
請求項１記載のホログラフィック熱管理材料において、
要素は、コート、ジャケット、靴、ブーツ、スリッパ、手袋、ミトン、帽子、スカーフ、パンツ、靴下、テント、テントの帆布又は寝袋の一部であるホログラフィック熱管理材料。
【請求項１６】
請求項１記載のホログラフィック熱管理材料において、
ホログラフィック熱伝導要素は、熱スタンプされるホログラフィック熱管理材料。
【請求項１７】
請求項１記載のホログラフィック熱管理材料において、
ホログラフィック熱伝導要素は、ホログラフィック熱伝導要素の外表面がベース材料の表面の下にあるようにベース材料に凹んで配置されるホログラフィック熱管理材料。
【請求項１８】
ホログラフィック熱管理衣服材料を製造する方法であって、
ベース材料を通じて水分及び／又は水蒸気の通路を許容するのに適した伝達特性を有するベース材料に、所望な方向に熱を伝導するように配置されると共にホログラフィックイメージを示すように構成されたホログラフィック熱伝導要素の配列を結合することと、
ホログラフィック熱管理衣服材料を衣服の部分に組み合わせることと、
ベース材料に体熱管理及びベース材料機能性を提供することと、を備える方法。
【請求項１９】
請求項１８記載の方法において、
ホログラフィック熱伝導要素の配列を結合することは、ベース材料の３０％から７０％までカバーする大きさ及び空間のホログラフィック熱伝導要素を結合することを備える方法。
【請求項２０】
請求項１８記載の方法において、
ホログラフィック熱伝導要素の配列を結合することは、隣接するホログラフィック熱伝導要素間に２ｍｍ乃至１ｃｍの空間があるようにホログラフィック熱伝導要素を結合することを備える方法。
【請求項２１】
請求項１８記載の方法において、
ベース材料は、断熱特性を更に提供し、ホログラフィック熱伝導要素は、使用者の体の方に熱を反射する方法。
【請求項２２】
請求項１８記載の方法において、
ベース材料は、十分な断熱特性を提供せず、ホログラフィック熱伝導要素は、使用者の体から離れる方向に熱を伝導する方法。
【請求項２３】
請求項１８記載の方法において、
前記方法は、熱伝導要素に蓄積する水分に抵抗する疎水性トリートメントでホログラフィック熱伝導要素を処理することを更に備える方法。
【請求項２４】
請求項１８記載の方法において、
ベース材料に体熱管理及びベース材料機能性を提供することは、
着用者の体から離れる方向に熱を伝導する又は着用者の体の方に熱を反射するようになっているホログラフィック熱伝導要素を提供することと、
通気性、吸湿発散性及び熱通気性を含む一つ以上の機能特性を含むベース材料を提供することと、を備える方法。
【請求項２５】
請求項１記載のホログラフィック熱管理材料において、
ホログラフィック熱伝導要素は、ホログラフィックイメージを示すホログラフィック熱管理材料。
【請求項２６】
請求項２５記載のホログラフィック熱管理材料において、
ホログラフィックイメージは、フォント、言葉又は絵からなるホログラフィック熱管理材料。
【請求項２７】
請求項２５記載のホログラフィック熱管理材料において、
ホログラフィックイメージは、ホログラフィック熱管理材料のソースを示すように及び／又は偽造の検知に役立つように構成されるホログラフィック熱管理材料。
【発明の詳細な説明】
【技術分野】
【０００１】
関連出願のクロスリファレンス
本出願は、２０１１年５月４日に提出された米国特許出願Ｎｏ．１３／１０１０２１の優先権を主張する。その出願は、一部継続であり、２００９年５月７日に提出された米国仮出願Ｎｏ．６１／１７６４４８の提出日の利益を主張する、２０１０年５月７に提出された米国特許出願Ｎｏ．１２／７７６３０６の提出日の利益を主張し、その双方の開示はその全体が本明細書に組み込まれる。また、米国特許出願Ｎｏ．１３／１０１０２１は、一部継続であり、２１１年２月１８日に提出された米国意匠特許出願Ｎｏ．２９／３８５７６８、２０１０年４月２３日に提出された米国意匠特許出願Ｎｏ．２９／３６０３６４、２００９年１１月５日に提出された米国意匠特許出願Ｎｏ．２９／３４６７８７、２００９年１１月５日に提出された米国意匠特許出願Ｎｏ．２９／３４６７８４、２００９年１１月５日に提出された米国意匠特許出願Ｎｏ．２９／３４６７８５、２００９年１１月５日に提出された米国意匠特許出願Ｎｏ．２９／３４６７８６、２００９年１１月５日に提出された米国意匠特許出願Ｎｏ．２９／３４６７８８、２００９年５月７日に提出された米国意匠特許出願Ｎｏ．２９／３３６７３０の提出日の利益を主張する。上記開示の全ては、その全体が本明細書に組み込まれる。
【０００２】
本発明の実施形態は、設計された性能特性を有する衣服及び他の商品に使用される布又は他の材料に概ね関し、特に、ベース布の所望の伝達特性を維持しながら反射または伝導を通じて熱を管理するベース布に結合された熱管理／伝導要素のパターンを利用する方法及び装置に関する。
【背景技術】
【０００３】
現在、アルミニウムやマイラーのような熱反射材は、通常、ジャケットなどの衣服の内部に接着され又は取り付けされた単一の固体膜の形態をとる。この層の目的は、着用者の体温を反射することによって熱放射を抑制し、それによって冷たい状態で衣服の着用者を暖かく保つ。しかし、これらの熱反射ライニングは、水蒸気を転送せず、空気通路を許容せず、従ってこれらは、体の近くに水分を捕捉しない。熱反射素材の応用が通気性と基盤となるベース布の他の機能を妨げるので、身体活動時の熱反射材の使用は、衣服の内側を湿らせ、それによって、不快感を引き起こし、ウェットの材料の増加した熱伝導固有のせいで熱損失を加速する。さらに、これらの熱反射コーティング材料は、所望な様態でストレッチ、ドレープ、またはハングする材料の能力を損なう。
【発明の概要】
【発明が解決しようとする課題】
【０００４】
しかし、これらの熱反射ライニングは、水蒸気を転送せず、空気通路を許容せず、従ってこれらは、体の近くに水分を捕捉しない。熱反射素材の応用が通気性と基盤となるベース布の他の機能を妨げるので、身体活動時の熱反射材の使用は、衣服の内側を湿らせ、それによって、不快感を引き起こし、ウェットの材料の増加した熱伝導固有のせいで熱損失を加速する。さらに、これらの熱反射コーティング材料は、所望な様態でストレッチ、ドレープ、またはハングする材料の能力を損なう。
【課題を解決するための手段】
【０００５】
本開示の実施形態は、添付の図面と関連して以下の詳細な説明によって容易に理解されるであろう。本発明の実施形態は、添付の図面に制限によってではなく、例によって図示される。
【図面の簡単な説明】
【０００６】
【図１Ａ】図１Ａは、様々な実施形態による、それに配置された熱伝導／管理要素を有するベース材料のライニングを有するコートなどの上衣服を示す。
【図１Ｂ】図１Ｂは、様々な実施形態による、ベース布又は材料に配置されたパターン化された熱伝導／管理要素の例の図である。
【図１Ｃ】図１Ｃは、様々な実施形態による、ベース布又は材料に配置されたパターン化された熱伝導／管理要素の例の図である。
【図１Ｄ】図１Ｄは、様々な実施形態による、ベース布又は材料に配置されたパターン化された熱伝導／管理要素の例の図である。
【図１Ｅ】図１Ｅは、様々な実施形態による、ベース布又は材料に配置されたパターン化された熱伝導／管理要素の例の図である。
【図２Ａ】図２Ａは、様々な実施形態による、ベース布に配置されたパターン化された熱伝導／管理要素の例の図である。
【図２Ｂ】図２Ｂは、様々な実施形態による、ベース布に配置されたパターン化された熱伝導／管理要素の例の図である。
【図３Ａ】図３Ａは、様々な実施形態による、ベース布に配置されたパターン化された熱伝導／管理要素の例の図である。
【図３Ｂ】図３Ｂは、様々な実施形態による、ベース布に配置されたパターン化された熱伝導／管理要素の例の図である。
【図３Ｃ】図３Ｃは、様々な実施形態による、ベース布に配置されたパターン化された熱伝導／管理要素の例の図である。
【図３Ｄ】図３Ｄは、様々な実施形態による、ベース布に配置されたパターン化された熱伝導／管理要素の例の図である。
【図３Ｅ】図３Ｅは、様々な実施形態による、ベース布に配置されたパターン化された熱伝導／管理要素の例の図である。
【図４】図４は、様々な実施形態による、それに配置された熱伝導／管理要素を有するベース材料のライニングを有するコートなどの上衣服を示す。
【図５】図５は、様々な実施形態による、それに配置された熱伝導／管理要素を有するベース材料のライニングを有するコートなどの上衣服を示す。
【図６】図６は、様々な実施形態による、それに配置された熱伝導／管理要素を有するベース材料のライニングを有するコートなどの上衣服を示す。
【図７】図７は、様々な実施形態による、それに配置された熱伝導／管理要素を有するベース材料のライニングを有するコートなどの上衣服を示す。
【図８Ａ】図８Ａは、様々な実施形態による、ジャケットに使用されたパターン化された熱伝導／管理要素の例の図である。
【図８Ｂ】図８Ｂは、様々な実施形態による、ジャケットに使用されたパターン化された熱伝導／管理要素の例の図である。
【図８Ｃ】図８Ｃは、様々な実施形態による、ジャケットに使用されたパターン化された熱伝導／管理要素の例の図である。
【図８Ｄ】図８Ｄは、様々な実施形態による、ジャケットに使用されたパターン化された熱伝導／管理要素の例の図である。
【図９】図９は、様々な実施形態による、ブーツに使用されたパターン化された熱伝導／管理要素の例の図である。
【図１０】図１０は、様々な実施形態による、袖口がライニングを示すために外側に巻かれたグローブに使用されたパターン化された熱伝導／管理要素の例の図である。
【図１１】図１１は、様々な実施形態による、帽子に使用されたパターン化された熱伝導／管理要素の例の図である。
【図１２】図１２は、様々な実施形態による、一組のパンツに使用されたパターン化された熱伝導／管理要素の例の図である。
【図１３】図１３は、様々な実施形態による、靴下に使用されたパターン化された熱伝導／管理要素の例の図である。
【図１４】図１４は、様々な実施形態による、ブーツに使用されたパターン化された熱伝導／管理要素の例の図である。
【図１５Ａ】図１５Ａは、様々な実施形態による、リバーシブルテントの帆布に使用されたパターン化された熱伝導／管理要素の例の図である。
【図１５Ｂ】図１５Ｂは、様々な実施形態による、テント本体の一部に使用されたパターン化された熱伝導／管理要素の例の図である。
【図１６Ａ】図１６Ａは、様々な実施形態による、斜視図におけるベース布又は材料に配置されたホログラフィックパターン化された熱伝導要素の例を示す。
【図１６Ｂ】図１６Ｂは、様々な実施形態による、断面図におけるベース布又は材料に配置されたホログラフィックパターン化された熱伝導要素の例を示す。
【図１６Ｃ】図１６Ｃは、様々な実施形態による、表面図におけるベース布又は材料に配置されたホログラフィックパターン化された熱伝導要素の例を示す。
【図１６Ｄ】図１６Ｄ4は、様々な実施形態による、ジャケットライニングに使用されるベース布又は材料に配置されたホログラフィックパターン化された熱伝導要素の例を示す。
【図１７Ａ】図１７Ａは、様々な実施形態による、斜視図におけるベース布又は材料に配置されたホログラフィックパターン化された熱伝導要素の別の例を示す。
【図１７Ｂ】図１７Ｂは、様々な実施形態による、ジャケットライニングに使用されるベース布又は材料に配置されたホログラフィックパターン化された熱伝導要素の別の例を示す。
【図１８Ａ】図１８Ａは、様々な実施形態による、斜視図におけるベース布又は材料に配置されたホログラフィックパターン化された熱伝導要素の別の例を示す。
【図１８Ｂ】図１８Ｂは、様々な実施形態による、ジャケットライニングに使用されるベース布又は材料に配置されたホログラフィックパターン化された熱伝導要素の別の例を示す。
【発明を実施するための形態】
【０００７】
以下の詳細な説明では、参照が本明細書の一部を形成し、開示を実施することができる図示の実施形態によって示される添付図面に行われる。他の実施形態が利用されることができ、構造的または論理的な変更は、本開示の範囲から逸脱することなく行うことができることを理解すべきである。したがって、以下の詳細な説明は、限定的な意味にとられず、実施形態の範囲は、本発明の開示に基づき、添付の特許請求の範囲およびその均等物によって定義される。
【０００８】
様々な動作は、本発明の実施形態を理解する上で役立つと思われる方法で、複数の不連続な動作として記述されるが、説明の順番は、これらの動作は順番に依存していることを意味すると解釈すべきではない。
【０００９】
説明は、上／下、後／前及び上／底などの観点に基づく記述を使用する。そのような説明は、単に議論を促進するために使用され、本発明の実施形態の適用を制限しようとするものではない。
【００１０】
その派生語と共に用語“結合した”及び“接合した”は使用されることができる。これらの用語は互いのための同義語として意図されていないことを理解すべきである。むしろ、特定の実施形態では、“接合した”は、二つ以上の要素が互いに物理的または電気的に直接接触していることを示すために使用される。“結合した”は、二つ以上の要素が物理的または電気的に直接接触していることを示すために使用される。しかしながら、“結合した”は、二つ以上の要素が互いに直接接触していないことを意味するが、まだ互いに協力又は相互作用することを意味する。
【００１１】
説明の目的のために、“Ａ／Ｂ”形態又は“Ａ及び／又はＢ”形態のフレーズは、（Ａ）、（Ｂ）、又は（Ａ及びＢ）を意味する。説明の目的のために、“Ａ、Ｂ、及びＣの少なくとも一つ”の形態のフレーズは、（Ａ）、（Ｂ）、（Ｃ）、（Ａ及びＢ）、（Ａ及びＣ）、（Ｂ及びＣ）、又は（Ａ、Ｂ及びＣ）を意味する。説明の目的のために、“（Ａ）Ｂ”形態のフレーズは、（Ｂ）又は（ＡＢ）を意味し、すなわち、Ａは、省略可能な要素であることを意味する。
【００１２】
記述は、各々が一つ以上の同一または異なる実施形態を参照する“実施形態では”又は“複数の実施形態では”のフレーズを使用する。さらに用語“備える”、“含む”、“有する”などの用語は、本発明の実施形態に関して使用されるときに同義である。
【００１３】
様々な実施形態では、衣服のための材料は、例えば、ベース布の所望の伝達特性を維持しながら、必要に応じて体の方に又は体から離れて熱を導くことによって体熱を管理するためのベース布に結合された熱伝導要素のパターンを使用することが開示される。例えば、図１Ｂ−１Ｅを参照すると、一実施形態では、複数の熱管理又は熱伝導要素１０は、概ね非連続的な配列のベース布２０に配置され、それによって、ベース布の一部が隣接する熱伝導要素間に露呈する。熱伝導要素の熱伝導機能は、反射を介して体の方に向かい又は伝導及び／又は発熱または他の熱伝達特性を介して体から離れる。
【００１４】
熱伝導要素１０は、ベース布２０の十分な表面領域を覆い、所望の熱管理（例えば、温かさを高めるために体の方へ熱を反射または冷却を誘導できるように体から離れる方向に熱を伝導）を生じる。ベース布の十分な領域は、所望のベース布機能（例えば、ストレッチ、ドレープ、通気性、水蒸気や空気の透過性、またはウィッキング）を提供するためにさらされる。
【００１５】
様々な実施形態では、ベース布は、ボディウェア（例えば、図１Ａ及び図４−１３参照）、寝袋（例えば図１４参照）、毛布、テント（例えば、図１５Ｂ参照）、帆布（例えば図１５Ａ参照）などの衣服のあらゆる形態の一部にすることができる。本明細書中で使用されるボディウェアは、ジャケット、パンツ、スカーフ、シャツ、帽子、手袋、ミトンなどの上着、靴、ブーツ、スリッパなどの下着、パジャマ、寝巻、ローブなどの寝間着、及び、下着、保温下着、靴下、靴下類などの下着を含むがこれらに限定されない体上に身につけるあらゆるものを含むように画定される。
【００１６】
様々な実施形態では、単層の衣服が使用され、ベース布の単層で構成されることができ、それに対して、他の実施形態は、一つ以上の他の層に結合されたベース布の一つ以上の層を含む布の多層を使用することができる。例えば、ベース布は、衣服のためのファブリックのライニングとして使用されることができる。
【００１７】
様々な実施形態では、熱伝導要素の配列は、一つ以上の所望の特性を有するベース布に配置される。例えば、基礎をなすベース材は、屋内と屋外の両方のアプリケーションで使用されている衣服のための共通のニーズである通気性、水蒸気の転送および／またはウィッカビリティ（wickability）などの特性を有することができる。他の実施形態では、熱伝導要素間の分離は、ベース材が所望のドレープ、外観及び／又は織り込みを有するのを許容するのに役立つ。いくつかの実施形態では、熱伝導要素間の分離は、ベース材が所望のストレッチを有するのを許容するのに役立つ。適当なベース布は、ナイロン、ポリエステル、レーヨン、綿、スパンデックス、羊毛、絹、又はそれらの混合、または所望の外観、手触り、重さ、厚さ、織り方、及び／又は織り込み、又は他の所望の特性を含む任意の他の材料を含むことができる。様々な実施形態では、熱伝導要素によって覆われない残存するベース布の指定された割合を可能とすることは、例えば使用者の体の方に又は体から離れる方向の所望の方向に体熱を導くのに十分な熱伝導要素の表面領域を残しながら、ベース布のその部分が所望の機能を実行することを許容する。
【００１８】
例えば、熱伝導要素は、そのような方法で配置され、体によって発生された熱を導くのを助長する材料で作られる。一実施形態では、熱伝導要素は、使用者の体の方に使用者の体熱を反射するように構成され、それは、寒冷な環境に特に適している。他の実施形態では、熱伝導要素は、使用者の体から離れる方向に使用者の体熱を導くように構成され、それは、暖かい環境で特に適している。特定の実施形態では、熱伝導要素は、一般に、使用者の体の方に使用者の体熱を反射するように構成されるが、使用者が過熱し始めると、使用者の体から離れる方向に熱を伝導し始めることができる。
【００１９】
様々な実施形態では、ベース布は、要素が使用者の体に面するように配置され、従って上述したように体熱を管理する（例えば、熱を反射する又は熱を導く）ように配置されるように、衣服の最も内側の表面上に配置された熱伝導要素を含む。いくつかの実施形態では、熱伝導要素は、熱伝導要素が例えばベース布が所望の機能を十分に実行しながら使用者から離れる方向に熱を反射するのを許容する環境にそれらがさらされているように衣服及び／又はベース布の外表面に配置されることができる。いくつかの実施形態では、熱伝導要素は、ベース布のストレッチ、ドレープ、手触り又は他の特性に悪影響を与えずにこれらの機能を実行することができる。
【００２０】
いくつかの実施形態では、熱管理要素は、（特に反射率に最適した）アルミニウム系材料、（特に反射率に最適した）クロム系材料、（特に導電性に適した）銅系材料、又は他の金属または金属合金系材料にすることができる。非金属または合金系材料は、他の実施形態では、熱反射熱又は熱導電性の特性を有するように提供された金属プラスチック、マイラー、または他の人工材料などの熱伝導材料として使用されることができる。別の実施形態では、熱伝導要素は、ホログラフィック箔又はエンボス加工された反射面などのホログラフィック熱伝導要素にすることができる。本明細書中において使用されるように、様々な実施形態において、用語“ホログラフィック熱伝導要素”は、薄い反射性又は金属層（例えば、数オングストロームから数ミクロンの厚さ）を有する金色、銀色、銅色、または他の光沢のある金属色の要素などの一般に反射性の金属色の要素を指し、その要素は、一方向以上の方向に熱および／または光を反射する。いくつかの実施形態では、ホログラフィック熱伝導要素は、その表面側にホログラムイメージを含む。例えば、種々の実施形態において、ホログラフィックイメージは、レーザーエッチングホログラフィック箔により形成することができる。他の実施形態では、ホログラフィック要素は、ファセットのエンボスパターンまたはコレクションを介して非鏡面反射を形成することができる。
【００２１】
種々の実施形態では、ホログラフィック箔は、その裏面に感熱接着剤のような接着材料の薄層を有することができるが、全てのホログラフィック箔がこの層を含まない。様々な実施形態では、ホログラフィック箔は、光ビームがそれに向けられたときに光の特徴的なパターンを反映することができる。例えば、種々の実施形態において、本発明のホログラフィック箔に向けられたレーザビームは、使用される特定のホログラフィックパターンに応じて、６−１０の光線又はそれ以上の光線などの複数の光線を反射する。また、ホログラフィック箔は、光以外の他のエネルギー波を反射する。様々な実施形態において、一片のボディウェアの内面に配置されるとき、本明細書に開示されたホログラフィック熱伝導要素は、従来の熱伝導要素と比較した場合、使用者の体の方に向かって戻る体熱よりも大きな割合を導く。同様に、様々な実施形態において、一片のボディウェアの外面に配置されるとき、本明細書に開示されたホログラフィック熱伝導要素は、従来の熱伝導要素と比較した場合、使用者の体から離れる入射熱よりも大きな割合を導く。
【００２２】
さらに、ホログラフィック熱伝導要素、特に、後述するように熱プレス加工技術を使用してベース布に取り付けられるものは、箔の非常に薄くて壊れやすい性質のためにその全体が容易に取り除かれない。従って、様々な実施形態において、そのようなホログラフィック熱伝導要素は、また、いくつかの実施形態において容易に偽造を検知及び／又は阻止することができる、例えばロゴ又は他の識別ワードや画像をそのホログラフィック箔に組み込むことにより、ボディウェアのソースの指標としての付加的な目的を果たす。様々な実施形態において、本明細書に開示される熱伝導要素は、接着、熱プレス、印刷又はステッチを含むがこれに限定されない様々な方法によってベース布に恒久的に結合されることができる。いくつかの実施形態では、熱伝導要素は、ラジオや超音波溶着などの周波数の溶接によってベース布に結合されることができる。
【００２３】
熱伝導要素がホログラフィック要素であるいくつかの実施形態では、熱伝導要素は、参照により本明細書に組み込まれる米国特許第５４６４６９０号に記載のプロセスを使用して、ベース布に結合されることができる。簡潔には、いくつかの実施形態では、それに適用されるホログラムイメージを有する複合シートから作られたホログラフィック箔は、熱スタンピングプロセスを用いてキャリアフィルムの反対側にある接着フィルムで貼り付けられている（本明細書に開示されたベース布などの）基材に（ポリエステル、ポリプロピレン、または同様の材料などの）キャリアフィルムから転送されることができる。また、その全体が参照により組み込まれる、米国特許第５６７４５８０号、米国特許第５６４３６７８号、米国特許第５６５３３４９号及び米国特許第６６３８３８６０号に開示されているようなこの方法に対する改変が、様々な実施形態においてホログラフィック熱伝導要素をベース布に取り付けるために使用されることができる。他の実施形態が、その全体が参照により組み込まれる、米国特許第５３４２６７２号に開示されたような熱転写デマンドプリンタを用いてホログラムの転写を可能にするためのホログラフィック熱転写リボンを利用することができる。
【００２４】
様々な実施形態では、熱伝導要素の熱伝導特性は、ベース布の組成又は衣服の全体的な構造によって影響を受ける。例えば、ベース布は、重要な断熱性を有して使用される。熱反射特性を持つ熱伝導要素と組み合わされる場合は、断熱性バッキング／ライニングは、自然に発生し、熱伝導要素の反射特性を向上させることができる伝導性を制限できるのに役立つ。他の例では、ベース布は、ほとんど又は全くない断熱性を提供するが、熱伝導材料要素と反対にあるベース布の側に設けられた断熱層に結合されることができる。別個の断熱層が要素の熱伝導率の可能性を低減し、その反射率を向上するのに役立つ。いくつかの実施形態では、熱伝導要素は、衣服と着用者との間の空気層が、より高温多湿になると、より多くの伝導性になる。このような例は、例えば、寒い天候のアプリケーションでの使用に適している。
【００２５】
様々な実施形態において、ベース布は、ほとんどまたはまったくない断熱特性を持つように使用される。熱を反射するのとは対照的に主として熱を伝導するように構成されている熱伝導要素と組み合わされる場合は、ベース布及び熱伝導要素は、温かい気候で又は極度の身体活動に従事する際に発生された余分な体熱を除去するのに役立つ。そのような実施形態は、暖かい天候に適している。
【００２６】
様々な実施形態において、熱伝導要素は、製造業者によって画定されたパターン又は連続又は不連続な配列にすることができる。例えば、図１Ａ−１Ｅに示されるように、熱伝導要素１０は、所望のパターンでベース布２０に接着された又は固定された一連のドット状の熱反射（又は熱伝導）要素にすることができる。そのような構成は、所望の一つ以上の特性の機能（例えば、呼吸と水分の蓄積のレベルを減らすために布を経由して水蒸気が出るのを許容）をベース布が実行しながら、（例えば熱反射要素が使用されるときに）熱反射従って温かさを使用者に提供する、あるいは代替的に、（例えば熱伝導要素が使用されるときに）熱伝導従って涼しさを使用者に提供することが発見された。
【００２７】
図示の実施形態は、別個の要素として熱伝導要素を示すが、いくつかの実施形態では、いくつかの又は全ての熱伝導要素は、格子状パターン又はベース布の部分的な範囲を許容する他のパターンのように互いに結合されるように配置されることができる。
【００２８】
様々な実施形態では、熱伝導要素の構成又はパターンは、それ自体が、使用者によって選択され、様々な形態のいずれかにすることができる。例えば、図２Ａ−２Ｂ、図３Ａ−３Ｅ、及び図４−６に示されるように、衣服のために使用されたベース布２０上に配置された熱伝導要素１０の構成は、様々な幾何学パターンの形態（例えば、線、波、三角形、四角形、ロゴ、言葉など）にすることができる。
【００２９】
様々な実施形態では、熱伝導要素のパターンは、対称的、整然とした、ランダムな、及び／又は非対称的にすることができる。さらに、後述するように、熱伝導要素のパターンは、ボディウェアの性能を向上させるために戦略的な位置にあるベース材上に配置されることができる。様々な実施形態では、熱伝導要素の大きさは、高めた熱伝導特性の必要性をバランスし、ベース布の機能性を維持するために変更することができる。
【００３０】
実施形態では、熱伝導要素によって覆われていないままのベース布の表面領域に対する熱伝導要素によって覆われた表面領域の密度及び比率は、約３：７（３０％）から約７：３（７０％）である。様々な実施形態では、この範囲は、ベース布の所望の特性（例えば、通気性や吸湿発散性）を有する熱管理特性（例えば、反射性又は伝導性）の良好なバランスを提供することを示している。特定の実施形態では、この比率は、約４：６（４０％）から約６：４（６０％）にすることができる。
【００３１】
様々な実施形態において、熱伝導要素の配置、パターン、および／または範囲は変更できる。例えば、熱伝導要素が、熱管理がより重要である特定の領域（例えば体の芯）に集中され、ベース布の特性の機能がより重要である他の領域（例えば、体から離れる方向に水分を逃がすために腕又は背中の部分の下の領域）で存在しない又は極端に制限されることができる。様々な実施形態では、衣服の様々な領域は、例えば、温かさ及び通気性の必要性を最適化にするのに役立つために、様々な範囲率、例えば、胸で７０％及び手足で３０％を有する。
【００３２】
様々な実施形態では、熱伝導要素の大きさは、これらの領域における増大された反射又は伝導のために体のコア領域で最も大きく（又はそれらの間の空間は最も小さい）、熱伝導要素の大きさは、体の周辺領域で最も小さい（又はそれらの間の空間は最も大きい）。いくつかの実施形態では、熱伝導要素による範囲の度合いは、局部的な熱管理の必要性に応じて衣服全体にわたって緩やかな様式に変更できる。いくつかの実施形態は、ある領域に熱反射要素を用い、衣服の他の領域に熱伝導要素を用いることができる。
【００３３】
様々な実施形態では、熱伝導要素は、熱伝導要素自体に水分がたまるのに抵抗し、ベース布の機能（例えば、通気性や吸湿発散性）を高めるように構成される。一実施形態では、個々の要素の領域を減少し、密度を増加することは、熱伝導要素上に蓄積される水分の減少傾向になるにつれて熱方向（例えば反射性又は伝導性）とベース布の機能性との間により良いバランスを提供することがわかった。いくつかの実施形態では、１平方センチメートル以下に個々の熱伝導要素の表面領域を維持することは、水分の蓄積の可能性を減らすのを助けることができることがわかった。様々な実施形態では、熱伝導要素は、約１ｃｍより小さいか等しい最大寸法（直径、斜辺、長さ、幅など）を有する。いくつかの実施形態では、最大寸法は、１乃至４ｍｍにすることができる。他の実施形態では、熱伝導要素の最も大きい寸法は、１ｍｍと同じくらい小さいか、それよりも小さくすることができる。
【００３４】
いくつかの実施形態では、例えば、熱伝導要素がホログラフィック要素である場合、熱伝導要素の大きさ及び形状は、例えばロゴ、会社名、絵又は記章など、箔にエッチングされた特定のホログラムに合わせて選択することができる。例えば、熱伝導要素のサイズは、ホログラムが使用者に見えるように十分に大きいように選択されることができ、例えば、ホログラフィックフォントは、追加の機器を必要とせずに読み取ることができる十分な大きさにすることができる。従って、いくつかの実施形態において、ホログラフィック熱伝導要素は、約１ｃｍにすることができ、あるいは、例えば、２、３、４又は５ｃｍ以上にすることができる。図１６Ａ−１６Ｄは、斜視図（図１６Ａ）における、断面図（図１６Ｂ）における、表面図（図１６Ｃ）における、及びジャケットライニングに使用される（図１６Ｄ）、ベース布又は材料に配置されたホログラフィックパターン化された熱伝導要素の例を示す。図１７Ａ及び図１７Ｂは、すべての様々な実施形態による、斜視図（図１７Ａ）における、及びジャケットライニングに使用される（図１７Ｂ）、ベース布又は材料に配置されたホログラフィックパターン化された熱伝導要素の別の例を示す。
【００３５】
様々な実施形態において、ホログラフィック熱伝導要素は、ベース布がドット又は他の形状のパターンとして表された状態で熱伝導要素が格子又は他の相互連結されたパターンを形成して、図１に示されたものとは逆のパターンで構成されることができる。例えば、図１８Ａ及び１８Ｂは、様々な実施形態による、斜視図（図１８Ａ）における、及びジャケットライニングに使用される（図１８Ｂ）、ベース布又は材料に配置されたホログラフィックパターン化された熱伝導要素の格子パターンを示す。格子パターンが図示されるが、当業者は、あらゆるパターン又はパターンの組み合わせを用いることができることを理解されるであろう。
【００３６】
いくつかの実施形態では、個々の熱伝導要素の局在プロファイルは、水分が熱伝導要素に接着しないようにすることができる。例えば、熱管理要素は、ベース布の方に流れるように水分を促すのに役立つ、凸状、円錐形、溝付き又は他の突起にすることができる。いくつかの実施形態では、熱伝導要素の表面は、要素上の水蒸気の蓄積を制限し、要素の熱伝導特性に著しく影響を与えないでベース布に水分をよりよく導くのに役立つ化合物で処理されることができる。その一例のトリートメントは、ラミネーション、スプレー堆積を介してまたは化学バスで要素に適用されることができる疎水性のフッ化炭素にすることができる。
【００３７】
様々な実施形態では、熱伝導要素は、ベース布から取り除くことができ、所望であればジッパー、スナップ、ボタン、フックとループ型のファスナー（例えばベルクロ（登録商標））、および他の取り外し可能なインターフェースなどの様々な取り外し可能な結合ファスナーを使用して再構成可能である。さらに、ベース材料は、個々の衣服のアイテムとして形成され、使用者の体熱の熱管理を改善するために他の衣服と組み合わされて使用されることができる。例えば、ウェア衣服下の上体は、様々な実施形態に従って、熱伝導要素で構成されることができる。ウェア衣服下の上体は、使用者一人によって着用され、その場合、使用者の体から離れた体熱の伝導が一般的に生じ、又は使用者の体熱の熱反射性を高める断熱された外側衣服と関連して生じる。
【００３８】
様々な実施形態において、熱伝導要素は、熱伝導要素の表面がベース布の表面下に配置されるようにベース布に対して凹んだ、凹面、又は凹状になるようにベース布に適用されることができる。この構成は、例えば、ベース布が使用者の皮膚又は潜在的なクロスに係合する衣服の部分又は衣服のライニングであるときに水分発散性を改善するための効果を有する。さらに、そのようなベース布との接触は、皮膚がベース布（例えば、手袋、ミトン、下着、または靴下）と直接接触しているアプリケーションで衣服の着用者に快適性を高めることができる。
【００３９】
図８乃至図１５は、ジャケット（図８Ａ−Ｄ）、ブーツ（図９）、グローブ（図１０）、帽子（図１１）、パンツ（図１２）、靴下（図１３）、寝袋（図１４）、テントの帆布（図１５Ａ）及びテント（図１５Ｂ）などの様々な衣服アプリケーションで使用されるパターン化された熱管理布の様々な図を示す。図示された衣服部分の各々は、それに配置された複数の熱伝導要素１０を有するベース材料２０を含む。
【００４０】
本明細書中に記載された原則の実施形態は、様々な実施形態でベース布の内表面に配置された熱伝導要素を含むが、熱伝導要素は、例えば、衣服の外表面にさらされた熱を反射又は伝導するために衣服の外側上に使用されることができる。例えば、いくつかの実施形態では、図１Ｂ−３Ｅに示されるようにベース布及び熱反射要素は、熱を使用者から離れる方向に反射するために、コート、寝袋、テント又はテントの帆布などの衣服の外側面または外表面に適用されることができる。
【００４１】
いくつかの実施形態では、衣服は、使用者が体の方に熱を導く布を使用するか体から離れる方向に熱を導く布を使用するかを決定することができるようにリバーシブルにすることができる。そのようなリバーシブル衣服の例が図１５Ａに示される。この実施形態では、熱伝導要素は、テントの帆布の一方側に含まれることができる。一実施形態では、テントの帆布は、テント使用者の体から離れる方向に熱を反射するために例えば暑い天候や日当たりの良い条件で外向きの熱伝導要素で使用されることができる。逆に、寒い天候では、テントの帆布は裏返されて、例えば、テントの帆布はテントの内側に向かって体熱を反射するように、使用者の身体に向かった内向きの熱伝導要素を有して取り付けられる。テントの帆布は、この原理を説明するために使用されるが、当業者は、同じ概念がこのようなリバーシブルジャケット、コート、帽子などの他の衣服に適用されることを理解するであろう。図１５Ｂは、テント本体の少なくとも一部分がそれに配置された複数の熱伝導要素を有する布を含む例を示す。図示の実施形態では、熱反射要素は、外側に面し、テントから離れる方向に従ってテントの使用者の体から離れる方向に熱を反射するように構成される。他の実施形態では、要素は、内向きに構成されることができる。
【００４２】
特定の実施形態が図示され、本明細書に記載されているが、多種多様な代替及び／または同等の実施形態または同じ目的を達成するために計算されたインプリメンテーションが、本発明の範囲から逸脱することなく、図示され記載された実施形態のために置換されていてもよいことが当業者によって理解されるであろう。当業者は、本発明による実施形態は、様々な方法で実装することができることを容易に理解するであろう。このアプリケーションは、本明細書に記載する実施形態のいずれかの適応または変形をカバーすることを意図している。従って、本発明による実施形態は特許請求の範囲およびその等価物によってのみ限定されることが明白に意図されている。
【図１Ａ−１Ｃ】
0005616561.tif 000002
【図１Ｄ】
0005616561.tif 000003
【図１Ｅ】
0005616561.tif 000004
【図２Ａ】
0005616561.tif 000005
【図２Ｂ】
0005616561.tif 000006
【図３Ａ−３Ｂ】
0005616561.tif 000007
【図３Ｃ．３Ｅ】
0005616561.tif 000008
【図３Ｄ】
0005616561.tif 000009
【図４−５】
0005616561.tif 000010
【図６−７】
0005616561.tif 000011
【図８Ａ−８Ｂ】
0005616561.tif 000012
【図８Ｃ−８Ｄ】
0005616561.tif 000013
【図９−１０】
0005616561.tif 000014
【図１１】
0005616561.tif 000015
【図１２】
0005616561.tif 000016
【図１３−１４】
0005616561.tif 000017
【図１５Ａ−１５Ｂ】
0005616561.tif 000018
【図１６Ａ】
0005616561.tif 000019
【図１６Ｂ】
0005616561.tif 000020
【図１６Ｃ】
0005616561.tif 000021
【図１６Ｄ】
0005616561.tif 000022
【図１７Ａ】
0005616561.tif 000023
【図１７Ｂ】
0005616561.tif 000024
【図１８Ａ】
0005616561.tif 000025
【図１８Ｂ】
0005616561.tif 000026